(57)【要約】【課題】表示パネルの周縁部を支持する部材の収縮幅が大きい場合でも、表示パネルの表示に異常が発生することを回避することができ、また表示パネルの周縁部を支持する部材が伸長した場合でも、表示パネルを安定に支持して、表示パネルの位置が偏倚することを回避することができる表示装置を提供する。【解決手段】表示パネルの一縁部を支持帯４１にて支持させ、支持帯４１に、前記一縁部に沿う樋状の凹部を設け、また前記一縁部の端部分に位置する表示パネルの角部を支持する支持片４７をバックライトシャーシに固定し、支持片４７に、凹部に係合する係合駒５０を設け、また凹部の底面に突起部を設け、突起部に係合する係合溝５０ａを係合駒５０に設けた。【選択図】図３
2010008795.tif 000002
【特許請求の範囲】
【請求項１】
光源を支持するシャーシと、前記光源に対向させて配置してあり、映像を表示する矩形の表示パネルと、該表示パネルの一縁部を支持する支持帯と、前記一縁部の端部分に位置する前記表示パネルの角部を支持する支持片とを備える表示装置において、
前記支持片を前記シャーシに固定してあり、
前記支持帯又は支持片の一方に設けてあり、前記一縁部に沿う樋状の凹部と、
前記支持帯又は支持片の他方に設けてあり、前記凹部に係合する係合駒と、
前記凹部の底面に設けてある突起部と、
前記凹部に沿って前記係合駒に設けてあり、前記突起部が係合する係合溝と
を備えることを特徴とする表示装置。
【請求項２】
前記凹部の内側面から突出したリブと、
前記係合駒から前記凹部の内側面に向けて延出しており、前記リブと前記凹部の底面との間にて係止される鰭状の係止部と
を備えることを特徴とする請求項１に記載の表示装置。
【請求項３】
前記支持帯の縁部から前記シャーシ側に延出しており、前記支持帯の長手方向に沿う第１延出板と、
前記支持片の縁部から前記シャーシ側に延出しており、前記第１延出板に隣り合う第２延出板と、
前記第１延出板又は第２延出板の一方に設けてあり、前記支持帯の長手方向に沿うスリットと、
前記第１延出板又は第２延出板の他方から前記第１延出板又は第２延出板の一方に向けて突出しており、前記スリットに対向する突出板と、
該突出板に設けてあり、前記スリットに挿入される爪部とを備え、
該爪部を、前記スリットの長手方向に沿う縁部に摺動可能に接触させてあること
を特徴とする請求項１又は２に記載の表示装置。
【発明の詳細な説明】
【技術分野】
【０００１】
本発明は表示パネルを支持する部材を備える表示装置に関する。
【背景技術】
【０００２】
映像を表示する液晶表示装置は、蛍光管、白色ＬＥＤ等の光源の正面側に、光を拡散する光学シートを配置し、光学シートの正面側に表示パネルを配置して、光源から照射された光を光学シートによって拡散し、拡散された光を表示パネルに投光して映像を表示するように構成されている。
【０００３】
特許文献１に記載の液晶表示装置においては、表示パネルを支持すべく、表示パネルの縁部分に枠部材を取り付けて、該枠部材を、光学シートを支持する部材に固定している。前記枠部材は冷却により収縮するので、枠部材が冷却された場合に表示パネルは枠部材によって圧縮され、表示パネルの表示に異常が発生する場合がある。そこで枠部材と表示パネルとの間に弾性部材を設けて、枠部材が収縮した場合に弾性部材を圧縮し、表示パネルの表示に異常が発生することを回避している。
【特許文献１】特開２００５-１０７４９８号公報
【発明の開示】
【発明が解決しようとする課題】
【０００４】
しかしながら、枠部材と表示パネルとの間の空間は小さいので小型の弾性部材しか使用できない上に、弾性部材の圧縮幅には限界がある。このため弾性部材では、枠部材の収縮幅が大きい場合に十分な対応ができず、表示パネルの表示に異常が発生する虞があった。また前記枠部材は加熱により伸長するので、枠部材が加熱された場合に枠部材が伸長して、表示パネルの支持が不十分となり、表示パネルの位置が偏倚する虞があった。
【０００５】
本発明は斯かる事情に鑑みてなされたものであり、枠部材の収縮幅が大きい場合でも、表示パネルの表示に異常が発生することを回避することができ、また枠部材が伸長した場合に、表示パネルの位置の偏倚を回避することができる表示装置を提供することを目的とする。
【課題を解決するための手段】
【０００６】
本発明に係る表示装置は、光源を支持するシャーシと、前記光源に対向させて配置してあり、映像を表示する矩形の表示パネルと、該表示パネルの一縁部を支持する支持帯と、前記一縁部の端部分に位置する前記表示パネルの角部を支持する支持片とを備える表示装置において、前記支持片を前記シャーシに固定してあり、前記支持帯又は支持片の一方に設けてあり、前記一縁部に沿う樋状の凹部と、前記支持帯又は支持片の他方に設けてあり、前記凹部に係合する係合駒と、前記凹部の底面に設けてある突起部と、前記凹部に沿って前記係合駒に設けてあり、前記突起部が係合する係合溝とを備えることを特徴とする。
【０００７】
本発明に係る表示装置においては、例えば、シャーシの正面にて支持された光源に、矩形の表示パネルを対向させて、該表示パネルの一縁部を支持帯にて支持させ、該支持帯に、前記一縁部に沿う樋状の凹部を設ける。また前記一縁部の端部分に位置する表示パネルの角部を支持する支持片を前記シャーシに固定し、該支持片に凹部に係合する係合駒を設ける。そして凹部の底面に突起部を設け、該突起部に係合する係合溝を前記係合駒に設けることによって、前記支持帯が伸縮した場合に、前記突起部及び係合溝により前記係合駒が案内されて、前記係合駒と前記凹部とが摺動し、シャーシに固定された支持片に対する支持帯の位置が調整される。このため支持帯及び支持片全体の寸法はほとんど変化せず、支持帯が収縮しても支持帯及び支持片が表示パネルを圧縮することはなく、また支持帯が伸長しても表示パネルは安定に支持される。
【０００８】
本発明に係る表示装置は、前記凹部の内側面から突出したリブと、前記係合駒から前記凹部の内側面に向けて延出しており、前記リブと前記凹部の底面との間にて係止される鰭状の係止部とを備えることを特徴とする。
【０００９】
本発明に係る表示装置においては、係合駒から延出した鰭状の係止部を、凹部の内側面に設けてあるリブと凹部の底面との間で係止することによって、係合駒が凹部から外れることを防止する。
【００１０】
本発明に係る表示装置は、前記支持帯の縁部から前記シャーシ側に延出しており、前記支持帯の長手方向に沿う第１延出板と、前記支持片の縁部から前記シャーシ側に延出しており、前記第１延出板に隣り合う第２延出板と、前記第１延出板又は第２延出板の一方に設けてあり、前記支持帯の長手方向に沿うスリットと、前記第１延出板又は第２延出板の他方から前記第１延出板又は第２延出板の一方に向けて突出しており、前記スリットに対向する突出板と、該突出板に設けてあり、前記スリットに挿入される爪部とを備え、該爪部を、前記スリットの長手方向に沿う縁部に摺動可能に接触させてあることを特徴とする。
【００１１】
本発明に係る表示装置においては、例えば支持帯の縁部に、支持帯の長手方向に沿うシャーシ側に延出した第１延出板を設け、支持片の縁部に、前記第１延出板の隣に位置しており、シャーシ側に延出した第２延出板を設け、第２延出板に支持帯の長手方向に沿うスリットを設け、該スリットに対向する突出板を第１延出板から突出させ、突出板にスリットに挿入する爪部を設け、該爪部をスリットの長手方向に沿う縁部に摺動可能に接触させることによって、前記支持帯が伸縮した場合に、前記爪部はスリットの長手方向に沿う縁部に接触して摺動し、前記長手方向に直角な方向への移動が規制される。
【発明の効果】
【００１２】
本発明に係る表示装置にあっては、例えば、シャーシの正面側にて支持された光源に、矩形の表示パネルを対向させて、該表示パネルの一縁部を支持帯にて支持させ、該支持帯に、前記一縁部に沿う樋状の凹部を設ける。また前記一縁部の端部分に位置する表示パネルの角部を支持する支持片を前記シャーシに固定し、該支持片に凹部に係合する係合駒を設ける。そして凹部の底面に突起部を設け、該突起部に係合する係合溝を前記係合駒に設けることによって、前記支持帯が伸縮した場合に、前記突起部及び係合溝により前記係合駒が案内されて、前記係合駒と前記凹部とが摺動し、シャーシに固定された支持片に対する支持帯の位置が調整される。このため支持帯及び支持片全体の寸法はほとんど変化せず、支持帯が収縮しても支持帯及び支持片が表示パネルを圧縮することを回避し、また支持帯が伸長しても表示パネルを安定に支持して、表示パネルの位置が偏倚することを回避することができる。
【発明を実施するための最良の形態】
【００１３】
以下本発明に係る表示装置をその実施の形態を示す図面に基づいて詳述する。図１は表示装置を示す模式的分解斜視図、図２は第１支持部材を取り付けた表示パネルを示す模式的斜視図である。
【００１４】
図において１は矩形の開口を有するフロントキャビネット１であり、該フロントキャビネット１の背面側に矩形の表示パネル３が設けてある。該表示パネル３の正面縁部に矩形のベゼル２が取り付けてあり、表示パネル３の背面縁部を矩形枠状のパネル支持体４にて支持している。ベゼル２及びパネル支持体４により、表示パネル３は挟持されている。
【００１５】
またパネル支持体４の背面側には、調光のための光学シート５、光を拡散する拡散板６、該拡散板６を支持する拡散板支持体７、複数の蛍光管８ａ、８ａ、・・・、８ａを収容する箱形のバックライトシャーシ８、及びリヤキャビネット９が順に設けてある。
【００１６】
前記パネル支持体４はコの字形の杆体をなす二つの第１支持部材１４、１４と、棒状の二つの第２支持部材１５、１５とを備えている。第１支持部材１４は、表示パネル３の長手方向に沿う一縁部及び該一縁部の両端部分に位置する角部を支持しており、第２支持部材１５は、表示パネル３の一縁部に直角な他縁部を支持している。また第１支持部材１４の端部と第２支持部材１５の端部とを連結してある。
【００１７】
図３は正面側から見た第１支持部材１４の略示部分拡大分解斜視図、図４は背面側から見た第１支持部材１４の略示部分拡大分解斜視図、図５は第１支持部材１４の略示正面図、図６は第１支持部材１４の略示背面図、図７は第１支持部材１４の略示平面図、図８は図５におけるＶＩＩＩ―ＶＩＩＩ線での略示側面断面図である。
【００１８】
第１支持部材１４は樹脂成形されており、図３に示すように、第１支持部材１４は、表示パネル３の長手方向に沿う一縁部を支持する支持帯４１と、前記支持帯４１の両端にそれぞれ連結されており、前記角部を支持する二つのＬ形の支持片４７、４７とを備えている。
前記支持帯４１の正面の長手方向に沿う縁部に、細長く浅い溝が形成してある。該溝にシール部材４２が貼付してあり、表示パネル３の一縁部が前記シール部材４２に載置されている。また支持帯４１の端部の幅方向中央部に切欠４１ａが形成されている。
【００１９】
図４に示すように、支持帯４１の端部の背面に樋状の凹部４３が設けてある。該凹部４３は、帯状の支持帯４１の背面における幅方向中央部に突設してあり、支持帯４１の長手方向に沿う第１側面板部４３ａと、該第１側面板部４３ａに対向しており、表示パネル３の一縁部よりも外側に突設してある第２側面板部４３ｂと、第１側面板部４３ａ及び第２側面板部４３ｂの間であって支持帯４１の端部から適長離隔した位置に設けてあり、第１側面板部４３ａ及び第２側面板部４３ｂに直角な奥面部４３ｃとを備えている。また前記第１側面板部４３ａ、第２側面板部４３ｂ及び奥面部４３ｃに囲まれた支持帯４１の背面部を凹部４３の底面部４３ｄとしている。
【００２０】
前記第１側面板部４３ａは支持帯４１に形成された切欠４１ａ側に延出しており、第１側面板部４３ａの延出端部の切欠４１ａに臨む位置に、凹部４３の内方に向けて突出した、底面部４３ｄに平行なリブ４４が設けてある。また切欠４１ａを挟んでリブ４４と相対するように、前記底面部４３ｄに、背面側に向けて突出した円柱形の突起部４５が設けてある。
【００２１】
また前記第２側面板部４３ｂに沿って背面側に延出しており、第２側面板部４３ｂに沿う方向を長手方向とした矩形の第１延出板４６が第２側面板部４３ｂに連なっている。第１延出板４６の端部には、長手方向に突出した突出板４６ａが連なっており、該突出板４６ａの突出端には、第１延出板４６に直角な截頭角錐状の爪部４６ｂが立設している。
【００２２】
次に支持片４７について説明する。Ｌ形の支持片４７の正面であって支持片４７の内側縁部に、Ｌ形のシール部材４８が貼付してあり、該シール部材４８に表示パネル３の角部が載置されている。また支持片４７の正面であって、シール部材４８の長手部分の外側及びシール部材４８の長手部分に直角な部分の外側に、直方体状の二つの弾性部材４９、４９がそれぞれ設けてある。
【００２３】
また支持片４７の長手部分に直角な部分（以下支持片４７の長手部分に直角な部分を支持片４７の短手部分という）の端部から、矩形の係合駒５０が延出している。該係合駒５０の正面には、係合駒５０に沿った係合溝５０ａが形成してある。また係合駒５０の側面から、係合駒５０の正面に隣接する鰭状の係止部５０ｂが、係合駒５０の長手方向に沿って内向きに延出している。
【００２４】
支持片４７の短手部分の外縁部から矩形の第２延出板５１が背面側に向けて延出しており、該第２延出板５１には、前記係合駒５０に沿う方向を長手方向とした矩形のスリット５１ａが開設してある。スリット５１ａの幅寸法は、爪部４６ｂの一側の幅寸法Ｘ（図７参照）と略同じであり、またスリット５１ａの長手方向の寸法は、爪部４６ｂの一側に直角な他側の幅寸法Ｙ（図７参照）よりも大きい。
【００２５】
支持片４７の背面には、支持片４７の長手部分の端部及び支持片４７の長手部分に直角な部分の端部に、前記バックライトシャーシ８に設けてある図示しない孔部に挿入される二つの固定突起５２、５２がそれぞれ設けてある。該固定突起５２、５２を前記孔部に嵌入して支持片４７をバックライトシャーシ８に固定してある。
【００２６】
次に支持帯４１、支持片４７、第１延出板４６及び第２延出板５１の連結について説明する。
【００２７】
前記第１延出板４６及び第２延出板５１が隣り合うように、支持片４７の短手部分の端部と前記支持帯４１の端部とを対向させて、前記係合溝５０ａに前記突起部４５を係合し、前記係止部５０ｂを、前記リブ４４と前記底面部４３ｄとの間に摺動可能に係止させて、係合駒５０を前記凹部４３に摺動可能に挿入してある。また爪部４６ｂの前記他側を、前記スリット５１ａの正面側縁部及び背面側縁部に接触させて、スリット５１ａに挿入してある。爪部４６ｂは、スリット５１ａにて係合駒５０と同方向に摺動することができる。
【００２８】
第１支持部材１４の支持帯４１及び第１延出板４６においては、第１支持部材１４が冷却された場合に、図５の実線矢符にて示す如く、支持帯４１及び第１延出板４６は中央側に収縮し、突起部４５及び係合溝５０ａに案内されて係合駒５０は凹部４３を摺動し、爪部４６ｂはスリット５１ａを摺動する。また第１支持部材１４が加熱された場合に、図５の破線矢符にて示す如く、支持帯４１及び第１延出板４６は端側に伸長し、突起部４５及び係合溝５０ａに案内されて係合駒５０は凹部４３を摺動し、爪部４６ｂはスリット５１ａを摺動する。
【００２９】
第１支持部材１４を加熱又は冷却しても、支持片４７はバックライトシャーシ８に固定されているので、支持片４７、４７同士の間で、支持帯４１は伸縮し、パネル支持体４の全体の寸法はほとんど変化しない。
【００３０】
本発明に係る表示装置にあっては、支持帯４１が伸縮した場合に、突起部４５が係合溝５０ａにて案内されて、係合駒５０と凹部４３とが摺動し、バックライトシャーシ８に固定された支持片４７に対する支持帯４１の位置が調整され、支持帯４１が伸縮してもパネル支持体４の寸法はほとんど変化しない。
このため支持帯４１が収縮しても、支持帯４１及び支持片４７が表示パネル３を圧縮することが回避され、表示パネル３の表示に異常が発生することが回避される。また前記支持帯４１が伸長した場合であっても、表示パネル３は安定に支持され、表示パネル３の位置が偏倚することを回避することができる。
【００３１】
また本発明に係る表示装置にあっては、係合駒５０から延出した係止部５０ｂを、リブ４４と底面部４３ｄとの間にて係止することによって、係合駒５０が前記凹部４３から外れることを防止することができる。
【００３２】
また本発明に係る表示装置にあっては、支持帯４１の縁部から背面側に延出しており、表示パネル３の一縁部に沿う第１延出板４６から突出した突出板４６ａの突出端に爪部４６ｂを立設し、支持片４７の外縁部から背面側に延出した第２延出板５１の端部にスリット５１ａを設け、爪部４６ｂを、スリット５１ａの正面側及び背面側の縁部に接触させてスリット５１ａに挿入することによって、支持帯４１が伸縮した場合に、爪部４６ｂはスリット５１ａの正面側及び背面側の縁部に接触して摺動し、爪部４６ｂの正背面方向への移動が規制され、支持帯４１と支持片４７との正背面方向の位置の整合性が保たれる。
【００３３】
なお実施の形態においては、支持帯４１に凹部４３を設け、支持片４７に係合駒５０を設けているが、支持帯４１に係合駒を設け、支持片４７に凹部を設けても良い。また実施の形態においては、突出板４６ａに爪部４６ｂを設け、第２延出板５１にスリット５１ａを設けているが、第１延出板４６にスリットを設け、第２延出板５１に突出板を設けて、該突出板に爪部を設けても良い。また支持片４７はＬ形に限らず、帯状に形成されていても良く、また表示パネル３の一縁部に直角な他縁部及び該他縁部の両端部に位置する二つの角部を支持するように、コの字形に形成されていても良い。また蛍光管８ａに代えて白色ＬＥＤパネルを使用してもよい。
【図面の簡単な説明】
【００３４】
【図１】実施の形態に係る表示装置を示す模式的分解斜視図である。
【図２】第１支持部材を取り付けた表示パネルを示す模式的斜視図である。
【図３】正面側から見た第１支持部材の略示部分拡大分解斜視図である。
【図４】背面側から見た第１支持部材の略示部分拡大分解斜視図である。
【図５】第１支持部材の略示正面図である。
【図６】第１支持部材の略示背面図である。
【図７】第１支持部材の略示平面図である。
【図８】図５におけるＶＩＩＩ―ＶＩＩＩ線での略示側面断面図である。
【符号の説明】
【００３５】
３  表示パネル
８  バックライトシャーシ（シャーシ）
８ａ  蛍光管（光源）
４１  支持帯
４３  凹部
４４  リブ
４５  突起部
４６  第１延出板
４６ｂ  爪部
４７  支持片
５０  係合駒
５０ａ  係合溝
５０ｂ  係止部
５１  第２延出板
５１ａ  スリット
【図１】
2010008795.tif 000003
【図２】
2010008795.tif 000004
【図３】
2010008795.tif 000005
【図４】
2010008795.tif 000006
【図５】
2010008795.tif 000007
【図６】
2010008795.tif 000008
【図７】
2010008795.tif 000009
【図８】
2010008795.tif 000010